(57)【要約】【課題】汁気のある食物が串に刺し通されている場合に口元を汚さずに串に刺さった食物を食べることを可能とする食物の移動補助具を提供すること。【解決手段】串に刺し通された食物としてのみたらし団子Ａ２〜Ａ４を押動して串の軸線方向に沿って食べやすい串先端位置に移動させるための移動補助具１であって、串１０の外周と係合される切欠き部４と、切欠き部４が串１０に係合された状態でみたらし団子Ａ２〜Ａ４の串１０に刺し通された周辺に面接触し、みたらし団子Ａ２〜Ａ４を押動して串１０の先端方向に移動させる押圧部２と、押圧部２と一体的な把持部とを備えること。【選択図】図２
0003159363.tif 000002
【実用新案登録請求の範囲】
【請求項１】
串に刺し通された食物を押動して串の軸線方向に沿って食べやすい串先端位置に移動させるための移動補助具であって、
前記串の外周と係合される切欠き部と、同切欠き部が前記串に係合された状態で前記食物に対面し串の軸線方向に沿った移動に伴って進行方向前方にある食物と面接触してこれを押動する押圧部と、同押圧部と一体的な把持部とを備えることを特徴とする串に刺し通された食物の移動補助具。
【請求項２】
前記切欠き部は直線状の棒状板体の先端に形成され、前記把持部は前記切欠き部側とは異なる端部寄りに形成されることを特徴とする串に刺し通された食物の移動補助具。
【考案の詳細な説明】
【技術分野】
【０００１】
本考案は、串に刺し通された食物を串から抜いて食する際に使用する串に刺し通された食物の移動補助具に関するものである。
【背景技術】
【０００２】
複数の食物を直列に串に刺し通したものを食べる場合には、串の下端寄りを手で握り、串の先端寄りの食物から順に口でくわえて、串の先端方向から引き抜いて食べるのが一般的である。
【考案の概要】
【考案が解決しようとする課題】
【０００３】
ところが、串の先端寄りにある食物は口でくわえやすく、容易に串から抜きとって食物を口に入れることができるものの、食物が串の先端から遠ざかるほど、つまり串の奥の方に刺さっている食物ほど串の先端方向から口に入れることは困難になってくる。そのため串を左右方向に寝かせ横方向から食物を加え噛みちぎったり、くわえながら串の先端方向に移動させて抜き取るようにして食べるようにしている。
しかしながらこのような食べ方では食物が汁気のある場合、例えばみたらし団子や焼き鳥のようなものでは口元が汚れてしまうこととなる。
本考案は、上記問題を解消するためになされたものであり、その目的は汁気のある食物が串に刺し通されている場合に口元を汚さずに串に刺さった食物を食べることを可能とする食物の移動補助具を提供するものである。
【課題を解決するための手段】
【０００４】
上記の目的を達成するための第１の手段として、串に刺し通された食物を押動して串の軸線方向に沿って食べやすい串先端位置に移動させるための移動補助具であって、前記串の外周と係合される切欠き部と、同切欠き部が前記串に係合された状態で前記食物に対面し串の軸線方向に沿った移動に伴って進行方向前方にある食物と面接触してこれを押動する押圧部と、同押圧部と一体的な把持部とを備えることをその要旨とする。
また、第２の手段として第１の手段に加え、前記切欠き部は直線状の棒状板体の先端に形成され、前記把持部は前記切欠き部側とは異なる端部寄りに形成されることをその要旨とする。
【考案の効果】
【０００５】
上記請求項の考案では、串の奥の方に刺さっている食物を移動させて口に入れやすい串先端寄りに移動させることができるため、口元を汚さずに串に刺さった食物を食べることが容易となる。
【図面の簡単な説明】
【０００６】
【図１】（ａ）は本考案の食物の移動補助具の実施例の平面図、（ｂ）は同じく側面図。
【図２】同じ実施例の食物の移動補助具の使用方法を説明する説明図。
【図３】（ａ）は同じ実施例の食物の移動補助具の切欠き部を串に係合させた状態を説明する説明図、（ｂ）は押圧部によって食物を移動させた状態を説明する説明図。
【考案を実施するための形態】
【０００７】
以下、本考案の食物の移動補助具を具体化した実施例を図面に基づいて説明する。
図１（ａ）及び（ｂ）に示すように、食物の移動補助具１は平板材を打ち抜きで成形した木製の板体であって、手で持って操作することから概ね８〜１５ｃｍ程度の長さが扱いやすい。例えば本実施例では１２ｃｍに設計されている。食物の移動補助具１は中央付近に比べて先端及び後端寄りほど幅広に構成されている。先端の幅広部分は押圧部２とされ、中央〜後端にかけてが把持部３とされている。押圧部の先端にはＶ字状に切り欠かれ二股に分かれた切欠き部４が形成されている。
【０００８】
次に、このような構成の食物の移動補助具１の使用方法についてみたらし団子を食べる場合を例にとって説明する。
図３（ａ）に示すように、みたらし団子Ａ１〜Ａ４が串１０に刺し通されている。図３（ａ）の最も先端よりの破線で示す団子Ａ１は特に食物の移動補助具１を使用しなくとも串１０先端方向から食べることができる。この団子Ａ１を食べてしまった後に、その団子Ａ１のあった位置に隣接する団子Ａ２を移動させるものとする。使用者（一般的には串１０を持っている者）は食物の移動補助具１の把持部３を把持し、図３（ａ）のように先端から２つ目の団子Ａ２と３つ目の団子Ａ３の隙間に切欠き部４が串１０に係合されるように挿入する。この状態で食物の移動補助具１の押圧部２が団子Ａ２，Ａ３の串１０に刺し通された周辺に面接触することとなる。そして図２及び図３（ｂ）のように２つ目の団子Ａ２を串１０の先端方向に向かって押圧部２によって押して串１０の先端寄りに移動させるようにする。これによって、２つ目の団子Ａ２を食べやすい位置に移動できるため、口元を汚さずに串に２つ目の団子Ａ２を食べることができる。後は、同様の操作によって３つ目の団子Ａ３以下も食物の移動補助具１を使用して串１０の先端寄りに移動させて口元を汚さずに食べることができる。
【０００９】
尚、この考案は、次のように変更して具体化することも可能である。
・みたらし団子以外の串に刺し通して口でくわえる食物で口元の汚れやすいもの、例えば焼き鳥、蜜のかかった団子、串おでん等に使用するようにしてもよい。
・上記食物の移動補助具１の形状は一例である。
・その他、本考案の趣旨を逸脱しない態様で実施することは自由である。
【符号の説明】
【００１０】
１…食物の移動補助具、２…押圧部、３…把持部、４…切欠き部。
【図１】
0003159363.tif 000003
【図２】
0003159363.tif 000004
【図３】
0003159363.tif 000005
【手続補正書】
【提出日】平成22年3月8日(2010.3.8)
【手続補正１】
【補正対象書類名】実用新案登録請求の範囲
【補正対象項目名】全文
【補正方法】変更
【補正の内容】
【実用新案登録請求の範囲】
【請求項１】
串に刺し通された食物を押動して串の軸線方向に沿って食べやすい串先端位置に移動させるための移動補助具であって、
前記串の外周と係合される切欠き部と、同切欠き部が前記串に係合された状態で前記食物に対面し串の軸線方向に沿った移動に伴って進行方向前方にある食物と面接触してこれを押動する押圧部と、同押圧部と一体的な把持部とを備えることを特徴とする串に刺し通された食物の移動補助具。
【請求項２】
前記切欠き部は直線状の棒状板体の先端に形成され、前記把持部は前記切欠き部側とは異なる端部寄りに形成されることを特徴とする串に刺し通された請求項１に記載の食物の移動補助具。